(57)【要約】【課題】  旅行記を、天候などを考慮してまとめたい、とのニーズに関しては、従来考慮されていなかった。【解決手段】  本発明では、予め訪問地の画像データを、状況を示す情報と対応付けて第１のデータベースに記憶しておき、また、時間帯毎にその時間帯における各訪問地の実際の状況を示す情報を対応付けて第２のデータベースに記録する。訪問地において、訪問者が保持するＩＣタグの情報を読取り、その情報と読取時間および訪問地を特定する情報と対応付けて記録する。そして、訪問者が旅行記を作成する場合、ＩＣタグから情報を読取り、これをキーに、読取時間と訪問地を特定する情報を検索し、検索された情報に基づいて、第２のデータベースから訪問地の実際の状況を示す情報を検索する。そして、訪問地の画像データのうち、検索された実際の状況を示す情報に対応付いたものを第１のデータベースから特定する。【選択図】  図１
2009230595.tif 000002
【特許請求の範囲】
【請求項１】
訪問地に関するデジタルデータを検索・編集するデジタルデータ編集方法において、
各訪問地に設置されたリーダ装置で読み取られ、訪問者の保持するＩＣタグから当該ＩＣタグもしくは前記訪問者を識別する訪問者識別情報、前記各訪問地を識別する訪問地識別情報および前記リーダ装置で読み取られた時間である訪問時間を対応付けた訪問履歴テーブルを記憶装置に記憶しておき、
前記訪問者から訪問地の指定を受け付けた場合、前記訪問履歴テーブルに格納された訪問地識別情報および訪問時間に対応する前記訪問履歴テーブルから当該訪問者の指定された訪問地に関する訪問地データを、前記記憶装置に記憶された訪問地データテーブルから特定し、
前記訪問地データに対応するデジタルデータを、前記記憶装置に記憶されたコンテンツマスタから検索し、
検索されたデジタルデータの編集を可能とするデジタルデータ編集方法。
【請求項２】
請求項１に記載のデジタルデータ編集方法において、
前記訪問地データは、前記訪問地の天候および／またはイベントを示し、
前記訪問地データテーブルは、前記訪問地の天候および／またはイベントの有無を、日時に対応して格納しており、
前記コンテンツマスタは、天候毎の前記訪問地のデジタルデータおよび／またはイベント有無に毎の前記訪問地のデジタルデータを格納することを特徴とする請求項１に記載のデジタルデータ編集方法。
【請求項３】
請求項１または２に記載のデジタルデータ編集方法において、
前記訪問者の利用するクライアント装置と、前記クライアント装置とネットワークを介して接続されたサーバ装置を利用して当該デジタルデータ編集方法は実行されるものであって、
前記サーバ装置は、前記記憶装置を有し、前記クライアント装置は、前記訪問者が撮影したデジタルデータを記憶する記憶媒体とアクセス可能であって、
前記サーバ装置は、前記訪問者から訪問地の指定を受け付けた場合、当該訪問地の訪問時間を前記訪問履歴テーブルから特定し、前記クライアント装置に特定された前記訪問時間を送信し、
前記クライアント装置は、送信された前記訪問時間に対応するデジタルデータを前記記憶媒体から検索することを特徴とするデジタルデータ編集方法。
【発明の詳細な説明】
【技術分野】
【０００１】
本発明は、旅行などの訪問地に関するデジタルデータを取り扱うものであって、その中でも特に、ＩＣタグを利用して訪問履歴を特定する技術に関する。
【背景技術】
【０００２】
旅行などにおいて、ＩＣタグを利用して絵画などに関するデジタルデータの提供がなされている。例えば、特許文献１においては、鑑賞対象物の展示会場から離れた場合でも、該展示会場での閲覧順序および撮影順序に応じて再度鑑賞データおよびデジタルスチルカメラなどで撮影した画像を表示可能なシステムの提供することを目的としている。そして、この目的を達成するために、鑑賞データ表示装置１００００は、鑑賞ＩＤ送信装置２００００から送信される鑑賞ＩＤを受信する鑑賞ＩＤ受信プログラム１２０００、受信した鑑賞ＩＤに対応した鑑賞データを表示装置１０１００に表示する鑑賞データ表示プログラム１１０００、操作者の要求に応じて、鑑賞ＩＤ送信装置２００００に対応して鑑賞データを表示した順に鑑賞データを再表示する鑑賞データ再表示プログラム１３０００を有する。
【０００３】
【特許文献１】特開２００７−５８２５５号公報
【発明の開示】
【発明が解決しようとする課題】
【０００４】
しかしながら、訪問における記録を、訪問時の状況に応じてまとめたい、例えば、旅行記を、天候などを考慮してまとめたい、とのニーズに関しては、上記の特許文献１では考慮されていない。つまり、特許文献１では、絵画などの鑑賞データが提供されるものであって、訪問時の状況に関しては、考慮されていない。
【０００５】
このため、特許文献１においては、一律的な情報提供しかされないとの課題が生じる。
【課題を解決するための手段】
【０００６】
上記の課題を解決するために、本発明では、天候などの状況を考慮できるよう、訪問地に関する訪問地データを用いてデジタルデータを検索する構成としている。すなわち、
（１）予め訪問地の画像データを、状況示す情報と対応付けて第１のデータベースに記憶しておき、また、時間帯毎にその時間帯における各訪問地の実際の状況を示す情報を対応付けて第２のデータベースに記録する。
（２）また、訪問地において、訪問者が保持するＩＣタグの情報を読取り、その情報と読取時間および訪問地を特定する情報と対応付けて記録する。
（３）そして、訪問者が旅行記を作成する場合、ＩＣタグから情報を読み取り、この情報をキーに、読取時間と訪問地を特定する情報を検索し、検索された情報に基づいて、第２のデータベースから訪問地の実際の状況を示す情報を検索する。
（４）そして、上記の訪問地の画像データのうち、検索された実際の状況を示す情報に対応付いたものを第１のデータベースから検索し、これを訪問者（端末装置）に提示する。
【０００７】
より具体的には、
訪問地に関するデジタルデータを検索・編集するデジタルデータ編集方法において、
各訪問地に設置されたリーダ装置で読み取られ、訪問者の保持するＩＣタグから当該ＩＣタグもしくは前記訪問者を識別する訪問者識別情報、前記各訪問地を識別する訪問地識別情報および前記リーダ装置で読み取られた時間である訪問時間を対応付けた訪問履歴テーブルを記憶装置に記憶しておき、
前記訪問者から訪問地の指定を受け付けた場合、前記訪問履歴テーブルに格納された訪問地識別情報および訪問時間に対応する前記訪問履歴テーブルから当該訪問者の指定された訪問地に関する訪問地データを、前記記憶装置に記憶された訪問地データテーブルから特定し、
前記訪問地データに対応するデジタルデータを、前記記憶装置に記憶されたコンテンツマスタから検索し、
検索されたデジタルデータの編集を可能とするデジタルデータ編集方法である。
【０００８】
また、このデジタルデータ編集方法において、
前記訪問地データは、前記訪問地の天候および／またはイベントを示し、
前記訪問地データテーブルは、前記訪問地の天候および／またはイベントの有無を、日時に対応して格納しており、
前記コンテンツマスタは、天候毎の前記訪問地のデジタルデータおよび／またはイベント有無に毎の前記訪問地のデジタルデータを格納するデジタルデータ編集方法も本発明に含まれる。
【０００９】
さらに、これらのデジタルデータ編集方法において、
前記訪問者の利用するクライアント装置と、前記クライアント装置とネットワークを介して接続されたサーバ装置を利用して当該デジタルデータ編集方法は実行されるものであって、
前記サーバ装置は、前記記憶装置を有し、前記クライアント装置は、前記訪問者が撮影したデジタルデータを記憶する記憶媒体とアクセス可能であって、
前記サーバ装置は、前記訪問者から訪問地の指定を受け付けた場合、当該訪問地の訪問時間を前記訪問履歴テーブルから特定し、前記クライアント装置に特定された前記訪問時間を送信し、
前記クライアント装置は、送信された前記訪問時間に対応するデジタルデータを前記記憶媒体から検索することを特徴とするデジタルデータ編集方法も本発明に含まれる。
【発明の効果】
【００１０】
本発明によれば、訪問地の訪問時の状況に応じたデジタルデータを特定することが可能になる。
【発明を実施するための最良の形態】
【００１１】
以下、本発明の一実施の形態を、図面を用いて説明する。なお、本実施の形態は一例に過ぎず、これにより本発明が限定されるものではない。
【００１２】
図1に、本発明の一例である旅行記自動作成システムの対象となる、観光客の動態を示す。なお、本実施の形態は、図示しない以下のようなシステムで実現可能である。
【００１３】
まず、観光客１１００が保持するＩＣタグを含む記憶媒体と、当該記憶媒体から情報を読取り可能なリーダ装置であって、講演１０１０、城１０２０などの各訪問地に設置されたリーダ装置と、これらリーダ装置とネットワークを介して接続された図５〜９で示されるデータベースを有するサーバ装置と、このネットワークと接続され訪問者が利用するクライアント端末であって記憶媒体の情報を読取ることが可能なリーダを有するクライアント端末である。なお、サーバ装置とクライアント端末は、いわゆるコンピュータで実現され、後述する処理は、プログラムに従ってＣＰＵのような処理部が実行する。
【００１４】
観光地1000には観光客が立ち寄る6つの施設が存在し、それは公園1010、城1020、博物館1030、土産物店1040、レストラン1050、美術館1060である。観光客は軌跡1200のように観光をし、その間に訪問した施設は公園1010、城1020、レストラン1050、美術館1060である。この際、観光客は公園1010で写真1011および写真1012を、城1020で写真1021および1022を、レストラン1050で写真1051を、美術館1060で写真1061を撮影したものとする。
【００１５】
次に、図2を使用しながら、本発明の一実施の形態を説明する。本発明は、図1に示した観光客の動態を、旅行記として図2のように表示するものである。
【００１６】
図2の旅行記は2画面で構成され、それは訪問概要画面2100および撮影写真画面2200である。訪問概要画面2100に含まれるコンテンツは、施設を訪問した際の入日付時刻2110、退出した際の出日付時刻2130、訪問した施設2150、訪問した時の天候2160、訪問した施設の写真2170、訪問した施設に関する文章2180である。一方、撮影写真画面2110に含まれるコンテンツは、訪問した施設で撮影した写真2210、写真2210を撮影した日付時刻2220である。なお、撮影写真画面2200は施設2150で撮影した写真全てを表示する。
【００１７】
以降、図を適宜使用しながら、図2の旅行記を作成する際の動作を説明する。
まず、観光客の動態を図3に示すようなデータとして蓄積しておく。
【００１８】
観光客が図1の施設1010〜1060に入る際および出る際、図3の訪問履歴テーブル3000に対して、その時の日付3200および時刻3300、当該施設名3400、入出のステータス3500を蓄積する。なお、図3のデータは、蓄積したデータの中より図1の観光客1100に関する動態を抽出したものである。
【００１９】
図4のフローは図5の訪問概要テーブル5000を作成する際のフローである。本処理は、サーバ装置で実行する（プログラムに従ってＣＰＵのような処理部で実行する）。訪問概要テーブル5000は図2の訪問概要画面2100におけるコンテンツ2110〜2180に対応するデータが含まれており、訪問概要画面2100を表示する際に使用する。
【００２０】
ステップ4100：数値N（図3の訪問履歴テーブル3000を参照する行）と数値M（図3の訪問履歴テーブル3000のデータを訪問概要テーブル5000に格納する際に行数を調節する数値）に初期値を設定する。数値Mの必要性は、ステップ4200において訪問概要テーブル5000を作成する際、訪問履歴テーブル3000の連続した2行をまとめて訪問概要テーブル5000に格納することによる。ここで設定する初期値は数値N=1、数値M=0である。
【００２１】
ステップ4200：訪問履歴テーブル3000のN行目を参照し、データを訪問概要テーブル5000の(N-M)行目に格納する。この際、観光客ID3100を観光客ID5100に、日付3200を入日付5200に、時刻3300を入時刻5300に、施設名3400を施設名5600に格納する。
【００２２】
ステップ4300：訪問履歴テーブル3000の(N+1)行目を参照し、データを訪問概要テーブル5000の（N−M）行目（ステップ4200と同じ行）に格納する。この際、観光客ID3100を観光客ID5100に、日付3200を出日付5400に、時刻3300を出時刻5500に、施設名3400を施設名5600に格納する。
【００２３】
ステップ4400：ステップ4200およびステップ4300でデータを格納した行に関して、天候に関するデータを格納する。図6の天候マスタ6000を参照し、施設名5600、入日付5200と出日付5400の中間日付、入時刻5300と出時刻5500の中間時刻の3データをキーとして、天候マスタ6000より該当する天候6400を検索し、訪問概要テーブル5000の天候5700に格納する。なお、天候マスタ6000は図1の施設1010〜1020で観測された天候を蓄積したものである。データ数低減のため、天候マスタ6000は該当施設にて天候が変わった際のデータのみを収集するのが望ましい。
【００２４】
ステップ4500：ステップ4200〜ステップ4400で格納した場所・時刻において、祭りなどのイベントが開催されていたかを判断する。訪問概要テーブル5000における入日付5200、入時刻5300、出日付5400、出時刻5500、施設名5600を元にイベントマスタ7000を検索する。図7のイベントマスタ7000は施設1010〜1020で実施されたイベントをデータとして登録したものである。
【００２５】
ステップ4510：ステップ4500でイベントが開催されていなかった場合、図8のコンテンツマスタ8000を参照する。即ち、入日付5200入時刻5300および出日付5400出時刻5500が、イベントマスタ7000の開始日付7100開始時刻7200から終了日付7300終了時刻7400の間にあるイベントがなければ、図8のコンテンツマスタ8000を参照する。そして施設名5600、訪問時の日付（入日付5200と出日付5400の間の日付）に該当する季節、天候5700をキーとして検索し、該当する写真8400と文章8500を訪問概要テーブル5000の写真5800と文章5900に格納する。なお登録された施設が多いほど検索に時間がかかるため、検索時間短縮を考慮した手順としてまず訪問した施設のデータのみをキャッシュに格納し、そこから上記の通り検索するようにするとよい。
【００２６】
ステップ4520：ステップ4500でイベントが開催されていなかった場合、該当するイベントのデータを参照する。即ち、入日付5200入時刻5300もしくは出日付5400出時刻5500が、イベントマスタ7000の開始日付7100開始時刻7200から終了日付7300終了時刻7400の間にあるイベントがあれば、該当する写真7700および文章7800を訪問概要テーブル5000の写真5800と文章5900に格納する。
【００２７】
ステップ4600：ステップ4200に戻った際、訪問履歴テーブルの次の行を参照するために、数値Nに2加算、数値Mに1加算する。
【００２８】
ステップ4700：訪問履歴テーブルのN行目を参照し、データがあればステップ4200へ、データがなければ処理を終了する。
【００２９】
次に、観光客1100が観光中に撮影した写真全てに関してどの施設で撮影したかを判別し、図9の撮影写真テーブル9000に格納する。訪問概要テーブル5000の入日付5200入時刻5300および出日付5400出時刻5500を参照し、撮影された写真の撮影日付9200撮影時刻9300が入っている施設名5600を検索して撮影写真テーブル9000に格納する。
【００３０】
以上のように作成した図5の訪問概要テーブル5000および図9の撮影写真テーブル9000より、図2のような旅行記を作成する。この際、図2における訪問概要画面2100と撮影写真画面2200の画面遷移は、両テーブルの入日付・入時刻・出日付・出時刻・施設名を介して行われる。なお、図1の観光客1100の動態は図10に示す旅行記のようになる。
【図面の簡単な説明】
【００３１】
【図１】本発明の一実施の形態の概念を示す図
【図２】本発明の一実施の形態における旅行記の構造を示す図
【図３】本発明の一実施の形態における訪問者の動態を示すデータを格納したデータベースの内容を示す図
【図４】本発明の一実施の形態における処理フローを示すフローチャート
【図５】本発明の一実施の形態における訪問概要テーブル5000を示す図
【図６】本発明の一実施の形態における天候マスタを示す図
【図７】本発明の一実施の形態におけるイベントマスタ7000を示す図
【図８】本発明の一実施の形態におけるコンテンツマスタ8000を示す図
【図９】本発明の一実施の形態における撮影写真テーブル9000を示す図
【図１０】本発明の一実施の形態における旅行記の一例を示す図
【符号の説明】
【００３２】
１１００…観光客、１０１０…公園、１０２０…城、１０３０…博物館、１０４０…土産物店、１０５０…レストラン、１０６０…美術館
【図１】
2009230595.tif 000003
【図２】
2009230595.tif 000004
【図３】
2009230595.tif 000005
【図４】
2009230595.tif 000006
【図５】
2009230595.tif 000007
【図６】
2009230595.tif 000008
【図７】
2009230595.tif 000009
【図８】
2009230595.tif 000010
【図９】
2009230595.tif 000011
【図１０】
2009230595.tif 000012